(57)【要約】【課題】  二次側配管の異常昇圧を遠隔監視可能であり、異常時には管理人室等に設置された火災表示盤に信号を出力可能な流水検知装置および消火設備を提供する。【解決手段】  流水検知装置３は、消火設備配管に接続する筒状の本体３１と、本体３１の内部に設ける逆止弁構造の弁体３２と、火災表示盤Ｃと接続され弁体３２の開放による流水を検知した場合に接点を閉じる第１スイッチとを備えており、本体３１の内部は弁体３２により一次室と二次室に分けられ、二次室には圧力検知器３８が接続されており、該圧力検知器３８は二次室が所定圧力以上となった場合に接点を開放する第２スイッチ３９を有しており、第２スイッチ３９の信号線４１を第１スイッチの信号線と並列に接続させ、第２スイッチ３９と終端抵抗４０を直列に接続した。【選択図】    図２
2020074832.tif 000002
【特許請求の範囲】
【請求項１】
消火設備配管に接続する筒状の本体と、
本体の内部に設ける逆止弁構造の弁体と、
火災表示盤と接続され弁体の開放による流水を検知した場合に接点を閉じる第１スイッチと、
を備える流水検知装置において、
本体の内部は弁体により一次室と二次室に分けられ、二次室には圧力検知器が接続されており、
該圧力検知器は二次室が所定圧力以上となった場合に接点を開放する第２スイッチを有しており、第２スイッチの信号線を第１スイッチの信号線と並列に接続させ、第２スイッチと終端抵抗を直列に接続したことを特徴とする流水検知装置。
【請求項２】
前記流水検知装置は、一次室と二次室を連通するバイパス配管を有しており、バイパス配管上にリリーフ弁が設置されている請求項１記載の流水検知装置。
【請求項３】
第２スイッチの信号線は第１スイッチが設置されている流水検知機構の端子台に接続される請求項１または請求項２記載の流水検知装置。
【請求項４】
流水検知装置の二次室には圧力計と排水弁が接続されている請求項１〜請求項３何れか１項記載の流水検知装置。
【請求項５】
前記請求項１〜請求項４の何れか１項記載の流水検知装置において、一次室は水源と接続した一次側配管と接続しており、二次室はスプリンクラーヘッドが設置された二次側配管と接続したことを特徴とする消火設備。
【請求項６】
前記請求項１〜請求項４の何れか１項記載の流水検知装置において、一次室は水源および消火薬剤が充填されたタンクと接続した一次側配管と接続され、二次室には一斉開放弁の一次側と接続する二次側配管が設置されており、一斉開放弁の二次側には泡ヘッドが設置されていることを特徴とする消火設備。
【発明の詳細な説明】
【技術分野】
【０００１】
本発明は、消火設備配管上に設置される流水検知装置に関するものである。
【背景技術】
【０００２】
スプリンクラー設備や泡消火設備等の消火設備は、水源からスプリンクラーヘッド（または泡ヘッド）に続く配管上に流水検知装置が設置されている。流水検知装置は逆止弁構造をしており水源からスプリンクラーヘッドへの一方向の通水のみを許容している。スプリンクラーヘッドが設置されている二次側配管は季節の温度差によって内部に充填された水が膨張・収縮する。特に夏季においては二次側配管内の水が膨張して圧力が上がり、スプリンクラーヘッドを破損することがある。また、冬季は二次側配管内の水の凍結によって体積が膨張すると配管内の水が圧縮して圧力が上昇し、上記と同様な被害が発生することがある。
【０００３】
従来において、上記の異常昇圧によるスプリンクラーヘッドの破損を防止するために、管理人や点検者が定期的に二次側配管の圧力を確認しているケースがある。圧力が過度に高い場合には二次側配管内の水を排出して圧力値が適正の範囲となるように調整を行っている。しかしながら、近年の人材不足や業務効率化の動きにより二次側配管の圧力を確認する作業に十分な人手や時間が取れない現場もある。
【０００４】
一方、特許文献１では、流水検知装置の一次側と二次側をバイパスするバイパス流路を設置して、バイパス流路上に差圧弁（リリーフ弁）を設置している。差圧弁は二次側の圧力が一次側の圧力よりも所定以上に高くなったときに開弁して、二次側配管から一次側配管へ水を逃がしてスプリンクラーヘッドの破損を防止できる。
【先行技術文献】
【特許文献】
【０００５】
【特許文献１】特開８−１３１５７４号公報
【発明の概要】
【発明が解決しようとする課題】
【０００６】
特許文献１の流水検知装置において、バイパス流路にゴミが詰まった場合は本来の機能を発揮できずに二次側配管の異常昇圧状態が解消できないおそれがある。あるいは、二次側配管の圧力を遠隔監視する場合には、別途圧力スイッチや監視用モニタ装置およびそれらの機器を接続する配線が必要となるが、既設の設備にこれらを設置するには大掛かりな工事が必要となる。
【０００７】
そこで本発明では、上記問題に鑑み、二次側配管の異常昇圧を遠隔監視可能な装置の設置が容易であり、異常時には管理人室等に設置された火災表示盤に信号を出力可能な流水検知装置および消火設備の提供を目的としている。
【課題を解決するための手段】
【０００８】
上記の目的を達成するために、本発明は以下の流水検知装置を提供する。
すなわち、消火設備配管に接続する筒状の本体と、本体の内部に設ける逆止弁構造の弁体と、火災表示盤と接続され弁体の開放による流水を検知した場合に接点を閉じる第１スイッチと、を備える流水検知装置において、本体の内部は弁体により一次室と二次室に分けられ、二次室には圧力検知器が接続されており、該圧力検知器は二次室が所定圧力以上となった場合に接点を開放する第２スイッチを有しており、第２スイッチの信号線を第１スイッチの信号線と並列に接続させ、第２スイッチと終端抵抗を直列に接続した。
【０００９】
流水検知装置の第１スイッチの信号線は管理人室等に設置されている火災表示盤と接続されており、常時監視状態にある。二次室が所定圧力以上になると第２スイッチの接点が開放する。すると流水検知装置と火災表示盤の間の信号線が断線状態となり、火災表示盤は断線を検知した流水検知装置について断線を示す表示や警告音を出力する。これを受けて管理人が断線状態の流水検知装置を確認するために設置場所に赴いて、流水検知装置の二次室に設置された圧力計を確認する。二次室の圧力が通常使用範囲よりも高い場合には排水弁を開いて圧力が通常使用範囲に戻るまで二次室内の水を抜く。二次室の圧力が通常使用範囲内の場合には断線を疑い信号線の確認を行う。
【００１０】
上記の構成は、既存の第１スイッチの信号線に第２スイッチと終端抵抗を接続する簡単な配線作業だけで実現でき、流水検知装置から火災表示盤までの配線は既存のものをそのまま利用できる。従って監視システムを簡易な構成および低コストにて提供できる。
【００１１】
上記の流水検知装置において、一次室と二次室を連通するバイパス配管上にリリーフ弁を設置して構成することも可能である。リリーフ弁は一次室の圧力に対して二次室の圧力が所定以上になった場合に開放する。より具体的には一次室に対して二次室の圧力が０．３〜０．４ＭＰａ高くなったときにリリーフ弁が開放する。圧力検知器は二次室の圧力が所定圧力以上となった場合に第２スイッチの接点が開放され、火災表示盤には断線を示す表示等が出力されるが、リリーフ弁が開放すると二次室の圧力が低下するので第２スイッチの接点は元に戻り断線状態は解消される。火災表示盤の断線検知信号を連続してモニタリングすることで二次室の圧力状態を把握することができる。
【００１２】
第２スイッチが設置された圧力検知器は、第１スイッチが設置されている流水検知機構の近傍に設置すると第２スイッチの信号線を流水検知機構の端子台に接続しやすい。
【００１３】
さらに本発明は、前記流水装置が設置された消火設備として、前記流水検知装置の一次室は水源と接続した一次側配管と接続しており、二次室はスプリンクラーヘッドが設置された二次側配管と接続して構成できる。
【００１４】
あるいは、前記流水検知装置は一次室が水源および消火薬剤が充填されたタンクと接続した一次側配管と接続され、二次室は一斉開放弁の一次側と接続する二次側配管が設置されており、一斉開放弁の二次側に泡ヘッドを設置した泡消火設備に適用できる。
【発明の効果】
【００１５】
本発明によれば、圧力検知器によって流水検知装置の二次室とそれに接続された二次側配管の異常昇圧を検知可能であり、圧力検知器の信号線を流水検知装置の流水検知機構に接続した。これにより簡易な構成にて圧力検知器の信号が流水検知機構を介して火災表示盤に伝送され、二次側配管の異常昇圧を遠隔監視できる。
【図面の簡単な説明】
【００１６】
【図１】本発明を適用したスプリンクラー設備の配管系統図。
【図２】第１実施形態の流水検知装置の正面図。
【図３】図２の流水検知装置の平面図。
【図４】図２の流水検知装置のカバーを外した状態の正面図。
【図５】図２の流水検知装置の端子台の配線図。
【図６】第２実施形態の流水検知装置の正面図。
【図７】本発明を適用した泡消火設備の配管系統図。
【発明を実施するための最良の形態】
【００１７】
第１実施形態（図１〜図５）
以下、図面を元に本発明について説明する。図１に示す消火設備はスプリンクラー設備であり、水源Ｗ、ポンプＰ、一次側配管１、二次側配管２、流水検知装置３、スプリンクラーヘッドＳを備えている。
【００１８】
水源Ｗは消火に用いられる水が蓄えられた貯水槽であり、一般的に建物の地下に設置されている。水源Ｗの付近にはポンプＰが設置されており、ポンプＰによって水源Ｗの水を一次側配管１に送水可能である。
【００１９】
一次側配管１には流水検知装置３が設置されている。流水検知装置３は防護領域毎に設置されおり、そのため一次側配管１は途中で分岐されており、分岐管上に複数の流水検知装置３が設置されているが、ここでは１つの防護領域における流水検知装置３について説明を行う。
【００２０】
流水検知装置３とポンプＰの間には圧力タンクＴが設置されており、圧力タンクＴにはポンプ起動スイッチ５が設置されている。ポンプ起動スイッチ５は一次側配管１の圧力が所定圧力以下になったときに作動してポンプＰを起動させる。また、一次側配管１には排水弁８が設置されている。
【００２１】
図２から図４に示す流水検知装置３は、筒状の本体３１の内部にスイングチャッキ構造の弁体３２を備えており、弁体３２によって一次室と二次室に仕切られている。弁体３２は円盤状であり常時は閉止しており、一次側配管１から二次側配管２への通水のみを許容する。
【００２２】
流水検知装置３は、弁体３２の開放による変位を検出して信号を出力する作動弁型の流水検知装置である。具体的には、本体３１の外部に設置された流水検知機構３１ｂと接続されたステム３２ａが弁体３２の開放動作とともに変位して、その変位を流水検知機構３１ｂ内に備えた図示しないリミットスイッチ（第１スイッチ）にて検知して火災表示盤Ｃへ信号が送られる。このような構造の流水検知装置の一例として、特開2010-5429号や、特開2016-135451号に記載されたものがある。ここでは、流水検知装置３の構造についての詳細な説明は省略する。
【００２３】
流水検知装置３は、正面側にカバー３１ａによって覆われた開口部が設けられている。流水検知装置３の一方の側面には流水検知機構３１ｂが配置され、もう一方の側面には排水弁３１ｃが配置されている。
【００２４】
本体３１の正面側には配管３４、３５が設置されている。配管３４は本体３１において弁体３２よりも一次側配管１側に設置された穴３４ａに接続されており、配管３５は本体３１において弁体３２よりも二次側配管２側に設置された穴３５ａに接続されている。
【００２５】
配管３４の先はエルボ継手３６の一端に接続されており、図中においてエルボ継手３６の他端（上側）の接続口には圧力計３３が設置される。一方、配管３５の先は三方継手３７に接続されており、図中において三方継手３７の上側の接続口には圧力計３３が設置される。三方継手の左側の接続口は圧力検知器３８と接続している。
【００２６】
圧力検知器３８は、第２スイッチ３９を備えており、二次側配管２が所定圧力以上となった場合に第２スイッチ３９が作動する。例えば、二次側配管２の圧力が１．３ＭＰａ以上の場合に第２スイッチ３９が作動する。第２スイッチ３９はｂ接点仕様であり通常は第２スイッチ３９の内部の接点が閉じた状態にあり、作動した際には接点が開く。第２スイッチ３９は終端抵抗４０と直列に接続されている。
【００２７】
圧力検知器３８の信号線４１は流水検知機構３１ｂの内部に引き込まれており、図５に示すように流水検知機構３１ｂの端子台４２に接続される。信号線４１は流水検知機構３１ｂ内のリミットスイッチ（第１スイッチ）と並列に接続される。リミットスイッチ（第１スイッチ）はａ接点仕様であり、通常は内部の接点が開いた状態にあり、作動した際には接点が閉じる。
【００２８】
端子台４２は管理人室等に設置されている火災表示盤Ｃと接続している。火災表示盤Ｃには断線検出回路が含まれており、信号線４１には微弱電流が常に流れている。第２スイッチ３９が作動すると微弱電流が流れずに断線状態となり火災表示盤Ｃは断線を示す表示や警告音を出力する。
【００２９】
これを受けて管理人が断線状態の表示が出力された流水検知装置３を確認するために設置場所に赴いて、流水検知装置３の二次側配管２と連通している圧力計３３を確認する。二次側配管２の圧力が通常使用範囲よりも高い場合には排水弁３１ｃを開いて圧力が通常使用範囲に戻るまで二次側配管２の内部の水を抜く。二次側配管２の圧力が通常使用範囲内の場合には断線を疑い信号線４１や端子台４２から火災表示盤Ｃの間の導線の確認を行う。
【００３０】
上記により、二次側配管２が異常昇圧したことを火災表示盤Ｃで把握することができる。また、断線を示す信号をモニタリングすることで二次側配管２の圧力状態を把握することができ、このデータと天候、気温、時刻、場所等のデータを組み合わせると二次側配管２に異常昇圧が発生しやすい条件を見出せる可能性がある。上記の構成は、圧力検知器３８の信号線４１を流水検知機構３１ｂの端子台４２に接続するだけで実現でき、流水検知装置３から火災表示盤Ｃまでの配線は既存のものをそのまま利用可能である。
【００３１】
二次側配管２には複数のスプリンクラーヘッドＳが設置されている。スプリンクラーヘッドＳは常時ノズルが感熱分解部により閉塞されている閉鎖型スプリンクラーヘッドである。スプリンクラーヘッドＳの構成は既に公知であり、ここでの説明は省略する。
【００３２】
第２実施形態（図６）
上記の圧力検知器３８を特許文献１のようなリリーフ弁付き流水検知装置に適用した場合、二次側の異常昇圧状態と、それによるリリーフ弁の動作をモニタリングできる。具体的な構成としては、図６に示すように、流水検知装置３の一次側と二次側をバイパスするバイパス配管５０に圧力検知器３８とリリーフ弁５１を設置する。
【００３３】
あるいは、バイパス配管５０を別の位置に設置して構成することも可能である。例えば、一方が一次側配管１と接続し、他方が二次側配管２と接続するようにバイパス配管５０を設けて、バイパス配管５０にリリーフ弁５１を設置しても同様の効果を得ることができる。同様に、例えば本体３１の背面にバイパス配管５０およびリリーフ弁５１を設置してもよい。
【００３４】
リリーフ弁５１は、一次側配管１に対して二次側配管２の圧力が０．３〜０．４ＭＰａ高くなったときに開放する。例えば通常における一次側配管１と二次側配管２の圧力が１ＭＰａである場合において、異常昇圧により二次側配管２の圧力が１．３ＭＰａ以上になると、圧力検知器３８の第２スイッチの接点が開放して火災表示盤Ｃに断線を示す表示等が出力される。
【００３５】
一次側配管１と二次側配管２の圧力差が０．３〜０．４ＭＰａに達すると、リリーフ弁５１が開放して二次側配管２の内部の水が一次側配管１に流れる。これにより二次側配管２の圧力が低下して第２スイッチ３９の接点は元に戻り断線状態は解消され、火災表示盤Ｃの断線を示す表示等が消えて通常状態に戻る。
【００３６】
上記のケースでは、二次側配管２の異常昇圧時において、先に圧力検知器３８が作動して火災表示盤Ｃに断線表示が出力され、その後リリーフ弁５１が開放される。
【００３７】
一方、バイパス配管５０にゴミが詰まった場合には、二次側配管２の異常昇圧時にリリーフ弁５１が十分機能しない場合がある。その際、火災表示盤Ｃには圧力検知器３８の作動による断線表示が出力される。通常の異常昇圧時にはリリーフ弁５１が開いて断線表示は直ちに消えるが、バイパス配管５０にゴミが詰まっていると断線表示がいつまでも消えなかったり、断続的に表示が出力されるケースがある。この場合は、管理人が現場に赴いて断線出力している流水検知装置３の二次側配管２と連通している圧力計３３を確認する。圧力値が通常使用範囲を超えている場合には排水弁３１ｃを開いて水を抜き、二次側配管２の圧力を低下させる。二次側配管２の圧力が通常使用範囲内の場合には断線を疑い信号線等の確認を行う。
【００３８】
二次側配管２の異常昇圧が頻繁に発生して、その都度リリーフ弁５１が開放して二次側配管２から一次側配管１へ水が移動すると、一次側配管１の圧力が上昇してくる。このため、一次側配管１の圧力が通常使用範囲の上限に達する前に、手動で排水弁８を開いて水を抜き一次側配管１の圧力を下げる。あるいは一次側配管１に所定以上の圧力によって開放する安全弁を設置しても同様の効果が得られる。
【００３９】
上記に説明した本発明はスプリンクラー設備に限らず泡消火設備にも適用可能である。図７に示す泡消火設備は、一次側配管に水源Ｗおよび消火薬剤が充填されたタンク９ａ、水源Ｗの水と消火薬剤を一定比率で混合する混合器９ｂが設置されている。二次側配管２には一斉開放弁９ｃが設置されており、一斉開放弁９ｃの二次側には泡ヘッド９ｄが設置されている。上記に説明した泡消火設備の変形例として二次側配管２の構成を、一斉開放弁９ｃと泡ヘッド９ｄの組み合わせから閉鎖型ヘッドに置き換えた薬剤噴霧消火設備に本発明の流水検知装置３を適用可能である。
【符号の説明】
【００４０】
１  一次側配管  
２  二次側配管  
３  流水検知装置  
５  ポンプ起動スイッチ  
９ａ  薬剤タンク  
９ｂ  混合器  
９ｃ  一斉開放弁  
９ｄ  泡ヘッド  
３１  流水検知装置の本体  
３２  流水検知装置の弁体  
３３  圧力計  
３４、３５  配管  
３６  エルボ継手  
３７  三方継手  
３８  圧力検知器  
３９  第２スイッチ  
４０  終端抵抗  
４１  信号線  
４２  端子台  
５０  バイパス配管  
５１  リリーフ弁  
Ｐ  ポンプ  
Ｓ  スプリンクラーヘッド  
Ｔ  圧力タンク  
Ｗ  水源  
【図１】
2020074832.tif 000003
【図２】
2020074832.tif 000004
【図３】
2020074832.tif 000005
【図４】
2020074832.tif 000006
【図５】
2020074832.tif 000007
【図６】
2020074832.tif 000008
【図７】
2020074832.tif 000009